(57)【特許請求の範囲】
【請求項１】
基板間に電気光学物質が挟持されたパネルと、該パネルの２辺に相当する位置にそれぞれ一方端が接続された第１および第２の可撓性基板と、前記パネルの裏面側に重ねられ、前記第１および第２の可撓性基板の他方端側で端子同士が接合された第３の可撓性基板とを有する電気光学装置において、
前記パネルと前記第３の可撓性基板との間にはバックライト用の導光板が挟まれており、
前記第１および第２の可撓性基板はいずれも、前記第３の可撓性基板とともに当該第３の可撓性基板の裏面側に折り返された部分を有するとともに、前記第１および第２の可撓性基板の前記折り返された部分のうち、前記導光板に面する側と反対側の面に駆動用ＩＣが実装されており、
前記第１および第２の可撓性基板はいずれも、折り返されている前記第３の可撓性基板を展開した状態では弛み部分を有していることを特徴とする電気光学装置。
【請求項２】
請求項１において、前記第３の可撓性基板は、前記第１の可撓性基板と接合された端子から前記第２の可撓性基板と接合された端子までの長さ寸法が、前記第１および第２の可撓性基板を展開した状態で前記第３の可撓性基板と接合された前記第１の可撓性基板の端子から前記第２の可撓性基板の端子までの長さ寸法よりも短いことを特徴とする電気光学装置。
【請求項３】
請求項１または２において、前記第１および第２の可撓性基板はそれぞれ、前記パネルの隣接し合う２辺に相当する位置に一方端側が接続されていることを特徴とする電気光学装置。
【請求項４】
請求項３において、前記第３の可撓性基板は、前記第１の可撓性基板と接合された端子から前記第２の可撓性基板と接合された端子に至るまでの間でＬ字形に屈曲した平面形状を有していることを特徴とする電気光学装置。
【請求項５】
請求項１ないし４のいずれかに規定する電気光学装置を表示部として有することを特徴とする電子機器。
【発明の詳細な説明】
【０００１】
【発明の属する技術分野】
本発明は、液晶などの電気光学物質を保持したパネルを用いた電気光学装置および電子機器に関するものである。さらに詳しくは、パネルから引き出した可撓性基板同士を電気的に接続するための構造技術に関するものである。
【０００２】
【従来の技術】
電気光学物質を一対の基板間に挟持したパネルを用いた電気光学装置としては、たとえば基板間に電気光学物質として液晶を挟持した液晶パネルを用いた液晶表示装置がある。
【０００３】
このような液晶表示装置のうち、パッシブマトリクスタイプの液晶表示装置は、図７に示すように、透明なガラスなどによって形成された第１の透明基板１１と、同じく透明なガラスなどによって形成された第２の透明基板１２とが貼り合わされたパネル１０を有しており、これらの基板間に液晶が封入されている。この液晶表示装置１において、第１の透明基板１１と第２の透明基板１２とは、パネル１０の隣接する２辺に相当する部分で各透明基板１１、１２の端部が他の基板の端縁から張り出すように貼り合わされ、これらの張り出し部分１１１、１２１には、第１および第２のフレキシブル配線基板５、６の一方端５１、６１がそれぞれ電気的に接続されている。第１および第２のフレキシブル配線基板５、６はいずれも、駆動用ＩＣ５０、６０が実装されたＴＣＰ(Ｔａｐｅ  Ｃａｒｒｉｅｒ  Ｐａｃｋａｇｅ）基板である。
【０００４】
ここで、第１および第２のフレキシブル基板５、６はいずれも、コネクタ（図示せず）が取り付けられた第３のフレキシブル配線基板８０に電気的に接続され、この第３のフレキシブル配線基板８０を介して、外部から駆動用ＩＣ５０、６０に対する電源などの供給が行われている。
【０００５】
このように構成するにあたって、従来は、図８に示すように、パネル１０の裏面側にバックライト用の導光板７０および第３のフレキシブル配線基板８０がこの順に重ね合わされ、この状態で第１および第２のフレキシブル基板５、６の端子５３、６３と、第３のフレキシブル配線基板８０の端子８０１、８０２とが半田あるいは異方性導電材などによって接合される。
【０００６】
ここで、第３のフレキシブル配線基板８０は、導光板７０と同様な矩形の平面形状を有しており、図９に示すように、第１および第２のフレキシブル配線基板５、６の他方端５２、６２の側を導光板７０の裏面側に折り返したとき、第１および第２のフレキシブル配線基板５、６に形成されている端子５３、６３と重なる位置に端子８０１、８０２が形成されている。従って、端子５３、８０１同士、および端子同士６３、８０２同士を半田あるいは異方性導電材などで接合すれば、第３のフレキシブル配線基板８０を介して、外部から駆動用ＩＣ５０、６０に対して電源などの供給を行なうことができる。
【０００７】
【発明が解決しようとする課題】
しかしながら、液晶表示装置１の製造工程において、従来のように、パネル１０の裏面側で端子５３、８０１同士および端子６３、８０２同士を接合しようとすると、導光板７０やパネル１０を傷つけないように配慮する必要があるので、接合作業に大変、手間がかかるという問題点がある。
【０００８】
ここに、本願発明者は、図１０および図１１に示すように、駆動用ＩＣ５０、６０が実装された第１および第２のフレキシブル配線基板５、６に接続されるフレキシブル配線基板として、パネル１０の外周側で端子５３、８０１同士、および端子６３、８０２同士を接合できるような第３のフレキシブル配線基板８′を用いることを提案するものである。すなわち、第３のフレキシブル配線基板８′には、第１および第２のフレキシブル配線基板５、６をパネル１０の外周側に展開した状態で、これらのフレキシブル配線基板５、６の他方端５２、６２の側に形成されている端子５３、６３と重なる位置に端子８０１、８０２が形成されているため、パネル１０の外周側で端子５３、８０１同士、および端子６３、８０２同士を接合した後、図１２にフレキシブル基板の一部を切欠いて示すように、第１および第２のフレキシブル配線基板５、６を第３のフレキシブル配線基板８′とともに、第３のフレキシブル配線基板８′の裏面側に折り返せばよい。従って、パネル１０の裏面側で接合作業を行なう必要がないので、作業効率が向上する。また、接合作業を行なう際に導光板７０を圧力や熱で損傷させることもない。
【０００９】
しかしながら、図１０、図１１および図１２を参照して説明した構造では、図１２および図１３に示すように、第１および第２のフレキシブル配線基板５、６を第３のフレキシブル配線基板８′とともに、第３のフレキシブル配線基板８′の裏面側に折り返すと、第３のフレキシブル配線基板８′はかなりの遊び部分８０′をもって第１および第２のフレキシブル配線基板５、６の内側に抱えられた状態になる。このため、第１および第２のフレキシブル配線基板５、６を折り返す作業に手間がかかるという新たな問題点が発生する。また、第１および第２のフレキシブル配線基板５、６は、パネル１０の隣接し合う２辺１０１、１０２に相当する位置に接続されている場合が多いが、図１０および図１１に示すように、矩形の第３のフレキシブル配線基板８′を用いると、一方端８１′を折り曲げると、他方端８２′を折り曲げるのに苦労するという問題点もある。
【００１０】
そこで、本発明の課題は、パネルの裏面側で接合作業を行なわなくてもパネルから引き出された２枚の可撓性基板を別の可撓性基板に接合でき、かつ、接合し終えた後の可撓性基板の折り返し作業が容易な電気光学装置および電子機器を提供することにある。
【００１１】
【課題を解決するための手段】
上記課題を解決するために、本発明では、基板間に電気光学物質が挟持されたパネルと、該パネルの２辺に相当する位置にそれぞれ一方端が接続された第１および第２の可撓性基板と、前記パネルの裏面側に重ねられ、前記第１および第２の可撓性基板の他方端側で端子同士が接合された第３の可撓性基板とを有する電気光学装置において、前記第１および第２の可撓性基板はいずれも、前記第３の可撓性基板とともに当該第３の可撓性基板の裏面側に折り返されているとともに、前記第１および第２の可撓性基板はいずれも、折り返されている前記第３の可撓性基板を展開した状態で弛み部分を有していることを特徴とする。
【００１２】
本発明では、第１および第２の可撓性基板の他方端側で、これらの可撓性基板の端子と第３の可撓性基板の端子とを接合させた後、第１および第２の可撓性基板のいずれをも第３の可撓性基板とともに第３の可撓性基板の裏面側に折り返した構造になっている。すなわち、パネルよりも外周側で可撓性基板の端子同士を接合させた後、これらの可撓性基板を裏面側に折り返す構造になっている。このため、パネルの裏側で接合作業を行なう必要がない。従って、接合作業に手間がかからないとともに、この接合作業で加える熱や圧力で導光板、あるいはパネルを損傷させることがない。また、第１および第２の可撓性基板はいずれも、第３の可撓性基板を展開した状態で弛み部分を有している。従って、第１および第２の可撓性基板の各端子と、第３の可撓性基板の端子とを接合した後、第１および第２の可撓性基板を第３の可撓性基板とともに裏面側に折り返したとき、第３の可撓性基板は、無駄な遊びがない状態で第１および第２の可撓性基板の内側に抱えられることになる。このため、第１および第２の可撓性基板を第３の可撓性基板の裏面側に折り返す際に第３の可撓性基板の遊び部分に邪魔されることがないので、折り返し作業を手間をかけずに行なうことができる。
【００１３】
本発明において、前記第３の可撓性基板を展開した状態で前記第１および第２の可撓性基板に弛み部分を確保することにより、前記第３の可撓性基板に無駄な遊び部分が発生しないようにするには、たとえば、前記第３の可撓性基板は、前記第１の可撓性基板と接合された端子から前記第２の可撓性基板と接合された端子までの長さ寸法が、前記第１および第２の可撓性基板を展開した状態で前記第３の可撓性基板と接合された前記第１の可撓性基板の端子から前記第２の可撓性基板の端子までの長さ寸法よりも短くすればよい。
【００１４】
本発明において、前記第１および第２の可撓性基板は、たとえば駆動用ＩＣが実装されたＴＣＰ基板である。
【００１５】
本発明において、前記第１および第２の可撓性基板は、前記パネルの隣接し合う２辺に相当する位置に接続されていることが多い。この場合に、前記第３の可撓性基板は、前記第１の可撓性基板と接合された端子から前記第２の可撓性基板と接合された端子に至るまでの間にＬ字形に屈曲した平面形状を有していることが好ましい。このように構成すると、パネルの一辺に対応する第３の可撓性基板の一方端を折り曲げても、パネルの隣接するもう一辺に対応する第３の可撓性基板の他方端を自由に折り曲げることができるので、折り返し作業を手間をかけずに行なうことができる。
【００１６】
本発明において、前記パネルと前記第３の可撓性基板との間にはバックライト用の導光板が挟まれている構成とすることがある。
【００１７】
このような電気工学装置は、携帯電話などの電子機器の表示部として用いられる。
【００１８】
【発明の実施の形態】
添付図面を参照して、本発明の実施の形態を説明する。なお、本形態の液晶表示装置（電気光学装置）は、基本的な構造が図７ないし図９を参照して説明した従来のもの、および図１０ないし図１３を参照して説明した参考例と略同一であるので、対応する部分については同一の符号を付して説明する。
【００１９】
図１は、本発明を適用した液晶表示装置の斜視図である。図２は、この液晶表示装置をＡ−Ａ′に相当する位置で切断したときの断面図である。図３は、この液晶表示装置の分解斜視図である。図４は、図１に示す状態から第３のフレキシブル配線基板をパネルの外周側に展開した状態を示す斜視図である。図５は、図２に示す状態から第３のフレキシブル配線基板をパネルの外周側に展開した状態を示す断面図である。
【００２０】
図１および図２に示すように、液晶表示装置１は、透明なガラスなどによって形成された第１の透明基板１１と、同じく透明なガラスなどによって形成された第２の透明基板１２とが貼り合わされたパネル１０を有している。このパネル１０を構成する一対の透明基板１１、１２の一方には、ギャップ材などを含有するシール剤４０が印刷等によって形成され、このシール剤４０を挟んで第１の透明基板１１と第２の透明基板１２とが所定の隙間を介して貼り合わされている。第１の透明基板１１と第２の透明基板１２との間隙（セルギャップ）のうち、シール剤４０で区画形成された液晶封入領域内には液晶４が封入されている。
【００２１】
この液晶表示装置１は、パッシブマトリクスタイプの液晶表示装置であり、各透明基板の液晶４が位置する側の面にはストライプ状の透明電極（図示せず）が所定の方向に形成されている。また、第１の透明基板１１の外側表面には偏光板（図示せず）が粘着剤などによって貼られ、第２の透明基板１２の外側表面にも偏光板（図示せず。）が粘着剤などで貼られている。
【００２２】
ここで、第１の透明基板１１と第２の透明基板１２とは、パネル１０の隣接する２辺１０１、１０２に相当する部分から各透明基板１１、１２の端部が張り出すように貼り合わされ、これらの張り出し部分１１１、１２１には、第１および第２のフレキシブル配線基板５、６（第１および第２の可撓性基板）の一方端５１、６１がそれぞれ電気的に接続されている。第１および第２のフレキシブル配線基板５、６は、ＴＣＰ(Ｔａｐｅ  Ｃａｒｒｉｅｒ  Ｐａｃｋａｇｅ）基板であり、駆動用ＩＣ５０、６０がそれぞれ実装されている。
【００２３】
ここで、第１および第２のフレキシブル基板５、６はいずれも、コネクタ（図示せず）が取り付けられた第３のフレキシブル配線基板８（第３の可撓性基板）に電気的に接続され、この第３のフレキシブル配線基板８を介して、外部から駆動用ＩＣ５０、６０に対する電源などの供給が行われている。
【００２４】
このように構成するにあたって、本形態では、まず、図３に示すように、パネル１０の裏面側には、ポリカーボネート樹脂製あるいはアクリル樹脂製の透明なバックライト用の導光板７０、および第３のフレキシブル配線基板８がこの順に重ね合わされ、この第３のフレキシブル配線基板８と、第１および第２のフレキシブル配線基板５、６とが電気的に接続される。すなわち、第３のフレキシブル配線基板８の一方端８１および他方端８２には、複数の端子８０１、８０２がそれぞれ形成されている一方、第１および第２のフレキシブル配線基板５、６の他方端５２、６２には、第３のフレキシブル配線基板８の端子８０１、８０２と接合された複数の端子５３、６３が形成されている。
【００２５】
ここで、第３のフレキシブル配線基板８は、第１および第２のフレキシブル配線基板５、６をパネル１０の外周側に展開した状態で、第１および第２のフレキシブル配線基板５、６に略重なるようにＬ字形状に屈曲した平面形状を有している。但し、第３のフレキシブル配線基板８の一方端８１から他方端８２までの長さ寸法Ｌ１は、第１および第２のフレキシブル配線基板５、６をパネル１０の外周側に展開した状態で、第１のフレキシブル配線基板５の他方端５２から第２のフレキシブル配線基板６の他方端６２までの長さ寸法Ｌ２に比較して短い。従って、第３のフレキシブル配線基板８は、第１のフレキシブル配線基板５の側と接合される端子８０１から第２のフレキシブル配線基板６の側と接合される端子８０２までの長さ寸法（寸法Ｌ１と略等しい寸法）が、第１および第２のフレキシブル配線基板５、６を展開した状態で第３のフレキシブル配線基板８と接合される第１のフレキシブル配線基板５の端子５３から第２のフレキシブル配線基板６の端子６３までの長さ寸法（寸法Ｌ２と略等しい寸法）よりも短い。
【００２６】
このように構成した液晶表示装置１では、第３のフレキシブル配線基板８を介して電源や各種信号が第１および第２のフレキシブル配線基板５、６を介して駆動用ＩＣ５０、６０に供給される。これらの駆動用ＩＣ５０、６０からは、第１および第２のフレキシブル配線基板５、６を介してパネル１０の各画素を駆動するための信号などが出力される。従って、パネル１０では、駆動用ＩＣ５０、６０から第１および第２のフレキシブル配線基板５、６を介して入力された信号に基づいて、各画素毎に液晶４に印加される電場が制御される。それ故、液晶表示装置１では、パネル１０の各画素毎に液晶４の配向状態が制御されることになる。なお、第３のフレキシブル配線基板８を介しては、バックライト用の光源（図示せず。）に電源供給が行われ、バックライト用の光源から出射された光は、導光板７０を介してパネル１０に入射するので、夜間でも明るい表示が可能である。
【００２７】
このような構成の液晶表示装置１の製造方法を説明する。
【００２８】
本形態では、図３に示すように、パネル１０の上面に導光板７０および第３のフレキシブル配線基板８を重ねるとともに、図４および図５に示すように、第１および第２のフレキシブル配線基板５、６を撓ませることによって、第１および第２のフレキシブル配線基板５、６の端子５３、６３と、第３のフレキシブル配線基板８の端子８０１、８０２とを重ねる。
【００２９】
次に、予め、第１および第２のフレキシブル配線基板５、６の側、あるいは第３のフレキシブル配線基板８の側に塗布しておいた異方性導電材や半田などによって、第１および第２のフレキシブル配線基板５、６の端子５３、６３と、第３のフレキシブル配線基板８の端子８０１、８０２とをパネル１０の外周縁よりも外側で接合する。
【００３０】
このようにして第１および第２のフレキシブル配線基板５、６の他方端５２、６２の側と、第３のフレキシブル配線基板８の一方端８１、８０の側を接続した後、第３のフレキシブル配線基板８を展開すると、第１および第２のフレキシブル配線基板５、６には弛み部分５５、６５が確保されている。
【００３１】
次に、第１および第２のフレキシブル配線５、６を、矢印Ｃで示すように、第３のフレキシブル配線基板８とともに、第３のフレキシブル配線基板８の裏面側に折り返すと、図１および図２に示す液晶表示装置１を製造することができる。
【００３２】
このように、本形態の液晶表示装置１では、第１および第２のフレキシブル配線基板５、６の他方端５２、６２の側で、これらのフレキシブル基板５、６の端子５３、６３と第３のフレキシブル配線基板８の端子８０１、８０２とを接合させた後、第１および第２のフレキシブル配線基板５、６を第３のフレキシブル配線基板８とともに、第３のフレキシブル配線基板８の裏面側に折り返した構造になっているため、端子５３、８０１同士の接合および端子６３、８０２同士の接合をパネル１０の外側で行なうことができ、パネル１０の裏側で行なう必要がない。従って、接合作業に手間がかからないとともに、この接合作業で加える熱や圧力で導光板７０あるいはパネル１０を損傷させることがない。さらに、液晶表示装置１を手直しするときに、第１および第２のフレキシブル配線基板５、６を第３のフレキシブル配線基板８とともに外周側に展開して接合部分などを手直しすればよいので、手直し作業が容易である。
【００３３】
また、図４および図５に示すように、第１および第２のフレキシブル配線基板５、６は、第３のフレキシブル配線基板８を展開した状態で弛み部分５５、６５を有している。従って、第１および第２のフレキシブル配線基板５、６の各端子５３、６３と、第３のフレキシブル配線基板８の端子８０１、８０２とを接合した後、第１および第２のフレキシブル配線基板５、６を第３のフレキシブル配線基板８とともに裏面側に折り返すとき、第３のフレキシブル配線基板８は、無駄な遊びが発生しない状態で第１および第２のフレキシブル配線基板５、６の内側に抱えられる。このため、第１および第２のフレキシブル配線基板５、６を第３のフレキシブル配線基板８の裏面側に折り返す作業が第３のフレキシブル配線基板８の遊び部分に邪魔されることがないので、折り返し作業を手間をかけずに行なうことができる。
【００３４】
また、本形態において、第１および第２のフレキシブル配線基板５、６は、パネル１０の隣接し合う２辺１０１、１０２に相当する位置に接続されているので、このような形態に対応して、第３のフレキシブル配線基板８は、端子８０１から端子８０２に至るまでの間にＬ字形に屈曲した平面形状を有している。このため、パネル１０の一辺１０１に対応する第３のフレキシブル配線基板８の一方端８１を折り曲げても、パネル１０の辺１０１に隣接するもう一辺１０２に対応する第３のフレキシブル配線基板８の他方端８２を自由に折り曲げることができるので、折り返し作業を手間をかけずに行なうことができる。
【００３５】
（その他の実施の形態）
なお、上記形態では、パネル１０、バックライト用の導光板７０および第３のフレキシブル配線基板８をこの順に重ねた構成であったが、導光板７０を用いない液晶表示装置、たとえば反射型の液晶表示装置にも本発明は適用できる。
【００３６】
また、上記形態では、パネル１０の隣接する２辺１０１、１０２から第１および第２のフレキシブル配線基板５、６が引き出されている例であったが、パネル１０の対向する２辺から両側に第１および第２のフレキシブル配線基板が引き出されている液晶表示装置にも本発明は適用できる。
【００３７】
さらに、本発明は、液晶表示装置に限らず、ＥＬ（エレクトロルミネッセンス素子）を用いた電気光学装置などにも適用できるなど、本発明の要旨を変更しない範囲でその形態を適宜変更して実施することができる。
【００３８】
（電子機器への応用例）
図６は、上記してきた液晶表示装置１（電気光学装置）を携帯電話１８０の表示部１８４として利用した例を示している。図６において、携帯電話１８０は、複数の操作ボタン１８１のほか、受話口１８２、送話口１８３と共に、液晶表示装置１８４（本発明を適用した液晶表示装置１）を備えている。
【００３９】
本発明の液晶表示装置１（電気光学装置）は、携帯電話の他にも、パーソナルコンピュータ、ページャ、液晶テレビや、ビューファインダ型，モニタ直視型のビデオテープレコーダ、カーナビゲーション装置、電子手帳、電卓、ワードプロセッサ、ワークステーション、携帯電話、テレビ電話、POS端末、タッチパネルを備えた装置等の電子機器にも適用可能であるが、特に小型の電子機器、例えば、上述の携帯電話や、電子手帳の表示部として利用すると効果的である。
【００４０】
【発明の効果】
以上説明したように、本発明に係る電気光学装置では、第１および第２の可撓性基板の他方端側で、これらの可撓性基板の端子と第３の可撓性基板の端子とを接合させた後、第１および第２の可撓性基板のいずれをも第３の可撓性基板とともに第３の可撓性基板の裏面側に折り返した構造になっているため、端子同士の接合作業をパネルの外周側で行なうことができ、パネルの裏側で行なう必要がない。従って、接合作業に手間がかからないとともに、この接合作業で加える熱や圧力で導光板あるいはパネルを損傷させることがない。また、第１および第２の可撓性基板はいずれも、第３の可撓性基板を展開した状態で弛み部分を有しているため、端子同士を接合した後、第１および第２の可撓性基板を第３の可撓性基板とともに裏面側に折り返したとき、第３の可撓性基板は、無駄な遊びがない状態で第１および第２の可撓性基板の内側に抱えられることになる。このため、第１および第２の可撓性基板を第３の可撓性基板の裏面側に折り返す際に第３の可撓性基板の遊び部分に邪魔されることがないので、折り返し作業を手間をかけずに行なうことができる。
【図面の簡単な説明】
【図１】液晶表示装置の斜視図である。
【図２】図１に示す液晶表示装置をＡ−Ａ′に相当する位置で切断したときの断面図である。
【図３】図１に示す液晶表示装置の分解斜視図である。
【図４】図１に示す液晶表示装置において、図１に示す状態から第３のフレキシブル配線基板を展開した状態を示す斜視図斜視図である。
【図５】図１に示す液晶表示装置において、図２に示す状態から第３のフレキシブル配線基板を展開した状態を示す斜視図斜視図である。
【図６】本発明を適用した電気光学装置を搭載した電子機器の一例である携帯電話の斜視図である。
【図７】従来の液晶表示装置の斜視図である。
【図８】図７に示す液晶表示装置の分解斜視図である。
【図９】図７に示す液晶表示装置の製造工程のうち、第１および第２のフレキシブル配線基板の端子と、第３のフレキシブル配線基板の端子とを接合する工程を示す斜視図である。
【図１０】本発明の参考例に係る液晶表示装置の分解斜視図である。
【図１１】図１０に示す液晶表示装置の製造工程のうち、第１および第２のフレキシブル配線基板の端子と、第３のフレキシブル配線基板の端子とを接合する工程を示す斜視図である。
【図１２】図１０に示す液晶表示装置を組み立てた後の斜視図である。
【図１３】図１２に示す液晶表示装置をＢ−Ｂ′に相当する位置で切断したときの断面図である。
【符号の説明】
１  液晶表示装置（電気光学装置）
４  液晶
５  第１のフレキシブル配線基板（第１の可撓性基板）
６  第２のフレキシブル配線基板（第２の可撓性基板）
８  第３のフレキシブル配線基板（第２の可撓性基板）
１０  パネル
１１  第１の透明基板
１２  第２の透明基板
４０  シール剤
５０、６０  駆動用ＩＣ
５１  第１のフレキシブル配線基板の一方端
５２  第１のフレキシブル配線基板の他方端
５３  第１のフレキシブル配線基板の端子
６１  第２のフレキシブル配線基板の一方端
６２  第２のフレキシブル配線基板の他方端
６３  第２のフレキシブル配線基板の端子
８１  第３のフレキシブル配線基板の一方端
８２  第３のフレキシブル配線基板の他方端
８３  第３のフレキシブル配線基板の端子
７０  バックライト用の導光板
１０１、１０２  パネルの隣接する辺
【図１】
0003799897.tif 000002
【図２】
0003799897.tif 000003
【図３】
0003799897.tif 000004
【図４】
0003799897.tif 000005
【図５】
0003799897.tif 000006
【図６】
0003799897.tif 000007
【図７】
0003799897.tif 000008
【図８】
0003799897.tif 000009
【図９】
0003799897.tif 000010
【図１０】
0003799897.tif 000011
【図１１】
0003799897.tif 000012
【図１２】
0003799897.tif 000013
【図１３】
0003799897.tif 000014